【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
管理装置と、遊技機と、前記遊技機と通信するとともに、前記管理装置と通信し、前記遊技機とともに設置されて使用される遊技用処理装置と、を備える照合システムであって、
前記遊技機は、前記遊技機の動作を制御する集積回路を備え、
前記集積回路は、自身の識別情報を記憶し、
前記遊技用処理装置は、前記集積回路と通信可能、かつ、前記管理装置と通信可能な制御手段を備え、
前記管理装置は、前記集積回路の前記識別情報を照合用の照合用情報として記憶する記憶手段を有し、
前記制御手段は、前記集積回路から前記識別情報を取得し、
前記管理装置と前記制御手段とが通信可能である場合、前記制御手段は、取得した前記識別情報を記憶するとともに前記管理装置に送信する第１の処理を行い、前記管理装置は、前記制御手段から送信された前記識別情報を予め記憶している前記照合用情報と照合を行い、
前記管理装置と前記制御手段とが通信不可である場合、前記制御手段は、取得した前記識別情報を前記第１の処理で記憶した前記識別情報と照合する第２の処理を行う、
ことを特徴とする照合システム。
【請求項２】
管理装置と、遊技機とに互いに通信可能に接続された、前記遊技機とともに設置されて使用される遊技用処理装置であって、
前記遊技機は、前記遊技機の動作を制御する集積回路を備え、
前記集積回路は、自身の識別情報を記憶し、
前記遊技用処理装置は、
前記集積回路と通信可能、かつ、前記管理装置と通信可能な制御手段を備え、
前記制御手段が前記管理装置と通信可能である場合、前記制御手段は、前記管理装置に前記識別情報についての照合を行わせるために、前記集積回路から前記識別情報を取得し、取得した前記識別情報を記憶するとともに前記管理装置に送信する第３の処理を行い、
前記制御手段が前記管理装置と通信不可である場合、前記制御手段は、前記集積回路から前記識別情報を取得し、取得した前記識別情報を前記第３の処理で記憶した前記識別情報と照合する第４の処理を行う、
ことを特徴とする遊技用処理装置。
【手続補正２】
【補正対象書類名】明細書
【補正対象項目名】発明の名称
【補正方法】変更
【補正の内容】
【発明の名称】照合システム及び遊技用処理装置
【手続補正３】
【補正対象書類名】明細書
【補正対象項目名】０００１
【補正方法】変更
【補正の内容】
【０００１】
本発明は、遊技用装置に搭載された集積回路のすり替えを検出するために、前記集積回路の照合を行う照合システム及び遊技用処理装置に関する。
【手続補正４】
【補正対象書類名】明細書
【補正対象項目名】０００８
【補正方法】変更
【補正の内容】
【０００８】
本発明は、このような背景のもとになされたものであり、その目的とするところは、遊技用処理装置と管理装置とが通信不可になった場合であっても集積回路のすり替えを検出できる照合システム及び遊技用処理装置を提供することにある。
【手続補正５】
【補正対象書類名】明細書
【補正対象項目名】０００９
【補正方法】変更
【補正の内容】
【０００９】
（１）上記目的を達成するため、本発明の照合システムは、
管理装置（例えば、上位サーバ５１０）と、遊技機（例えば、パチンコ機１０）と、前記遊技機と通信するとともに、前記管理装置と通信し、前記遊技機とともに設置されて使用される遊技用処理装置（例えば、カードユニット２０）と、を備える照合システムであって、
前記遊技機は、前記遊技機の動作を制御する集積回路（例えば、主制御チップ１１及び払出制御チップ１３）を備え、
前記集積回路は、自身の識別情報（例えば、チップＩＤ）を記憶し、
前記遊技用処理装置は、前記集積回路と通信可能、かつ、前記管理装置と通信可能な制御手段（例えば、主制御部２１及び通信制御ＩＣ２３）を備え、
前記管理装置は、前記集積回路の前記識別情報を照合用の照合用情報として記憶する記憶手段（例えば、記憶部５１２）を有し、
前記制御手段は、前記集積回路から前記識別情報を取得し（例えば、ステップＥ９でチップＩＤ（登録情報）を受信する処理）、
前記管理装置と前記制御手段とが通信可能である場合（図２３における上位サーバオンライン時）、前記制御手段は、取得した前記識別情報を記憶するとともに前記管理装置に送信する第１の処理（例えば、ステップＥ１１でチップＩＤ（登録情報）を送信する処理）を行い、前記管理装置は、前記制御手段から送信された前記識別情報を予め記憶している前記照合用情報と照合を行い（例えば、ステップＥ１１の後に行うチップＩＤ（登録情報）の照合）、
前記管理装置と前記制御手段とが通信不可である場合（図２５における上位サーバオフライン時）、前記制御手段は、取得した前記識別情報を前記第１の処理で記憶した前記識別情報と照合する第２の処理（例えば、ステップＦ９の後に行うチップＩＤ（登録情報）の照合）を行う。
【手続補正６】
【補正対象書類名】明細書
【補正対象項目名】００１０
【補正方法】変更
【補正の内容】
【００１０】
上記構成によれば、管理装置がオンラインのときは、管理装置が識別情報の照合を行うことで、集積回路のすり替えを検出でき、前記管理装置がオフラインのときは、従前に制御手段に記録された識別情報で照合を行うので、集積回路のすり替えを検出できる（照合結果が同じ集積回路のものでない場合には、集積回路のすり替えがあったことが分かる）。このように、上記照合システムによれば、遊技用処理装置と管理装置とが通信不可になった場合であっても集積回路のすり替えを検出できる。
【手続補正７】
【補正対象書類名】明細書
【補正対象項目名】００１１
【補正方法】変更
【補正の内容】
【００１１】
（２）上記目的を達成するため、本発明の遊技用処理装置は、例えば、（１）の遊技用処理装置として使用されるものであり、
管理装置（例えば、上位サーバ５１０）と、遊技機（例えば、パチンコ機１０）とに互いに通信可能に接続された、前記遊技機とともに設置されて使用される遊技用処理装置であって、
前記遊技機は、前記遊技機の動作を制御する集積回路（例えば、主制御チップ１１及び払出制御チップ１３）を備え、
前記集積回路は、自身の識別情報（例えば、チップＩＤ）を記憶し、
前記遊技用処理装置は、
前記集積回路と通信可能、かつ、前記管理装置と通信可能な制御手段（例えば、主制御部２１及び通信制御ＩＣ２３）を備え、
前記制御手段が前記管理装置と通信可能である場合（図２３における上位サーバオンライン時）、前記制御手段は、前記管理装置に前記識別情報についての照合を行わせるために、前記集積回路から前記識別情報を取得し、取得した前記識別情報を記憶するとともに前記管理装置に送信する第３の処理（例えば、ステップＥ１１でチップＩＤ（登録情報）を送信する処理）を行い、
前記制御手段が前記管理装置と通信不可である場合（図２５における上位サーバオフライン時）、前記制御手段は、前記集積回路から前記識別情報を取得し、取得した前記識別情報を前記第３の処理で記憶した前記識別情報と照合する第４の処理（例えば、ステップＦ９の後に行うチップＩＤ（登録情報）の照合）を行う。
【手続補正８】
【補正対象書類名】明細書
【補正対象項目名】００１２
【補正方法】変更
【補正の内容】
【００１２】
上記構成によれば、上記（１）と同様に、遊技用処理装置と管理装置とが通信不可になった場合であっても集積回路のすり替えを検出できる。